【手続補正書】
【提出日】平成20年7月23日(2008.7.23)
【手続補正１】
【補正対象書類名】特許請求の範囲
【補正対象項目名】全文
【補正方法】変更
【補正の内容】
【特許請求の範囲】
【請求項１】
相互に通信可能な複数の通信端末からなる通信ネットワーク内の通信端末であって、
映像データの撮像入力を受け付ける入力手段と、
前記入力手段によって撮像入力された場合、前記映像データを、当該映像データの撮像中における前記通信端末の地点情報とともに取得する取得手段と、
前記取得手段によって取得された地点情報を、前記通信ネットワーク内の不特定多数の他の通信端末に配信する配信手段と、
前記配信手段によって前記地点情報が配信された結果、前記映像データの送信要求信号を、前記不特定多数の他の通信端末のうち少なくとも一つの他の通信端末から受信する受信手段と、
前記受信手段によって送信要求信号が受信された場合、前記送信要求信号を送信した前記他の通信端末に前記映像データを送信する送信手段と、
を備えることを特徴とする通信端末。
【請求項２】
相互に通信可能な複数の通信端末からなる通信ネットワーク内の通信端末であって、
映像データの撮像入力を受け付ける入力手段と、
前記入力手段によって撮像入力された場合、前記映像データを、当該映像データの撮像時間に関する情報とともに取得する取得手段と、
前記取得手段によって取得された撮像時間に関する情報を、前記通信ネットワーク内の不特定多数の他の通信端末に配信する配信手段と、
前記配信手段によって前記地点情報が配信された結果、前記映像データの送信要求信号を、前記不特定多数の他の通信端末のうち少なくとも一つの他の通信端末から受信する受信手段と、
前記受信手段によって送信要求信号が受信された場合、前記送信要求信号を送信した前記他の通信端末に前記映像データを送信する送信手段と、
を備えることを特徴とする通信端末。
【請求項３】
相互に通信可能な複数の通信端末からなる通信ネットワーク内の通信端末であって、
映像データの撮像入力を受け付ける入力手段と、
前記入力手段によって撮像入力された場合、前記映像データを、当該映像データの撮像中における前記通信端末の速度情報とともに取得する取得手段と、
前記取得手段によって取得された速度情報を、前記通信ネットワーク内の不特定多数の他の通信端末に配信する配信手段と、
前記配信手段によって前記速度情報が配信された結果、前記映像データの送信要求信号を、前記不特定多数の他の通信端末のうち少なくとも一つの他の通信端末から受信する受信手段と、
前記受信手段によって送信要求信号が受信された場合、前記送信要求信号を送信した前記他の通信端末に前記映像データを送信する送信手段と、
を備えることを特徴とする通信端末。
【請求項４】
相互に通信可能な複数の通信端末からなる通信ネットワーク内の通信端末であって、
前記通信端末以外の他の通信端末により撮像された映像データの撮像地点情報であって、かつ前記他の通信端末より前記通信ネットワーク内の不特定多数の通信端末に配信された前記撮像地点情報を受信する第１の受信手段と、
前記第１の受信手段によって受信された撮像地点情報を出力する出力手段と、
前記出力手段によって前記撮像地点情報が出力された場合、前記映像データの送信要求の入力を受け付ける入力手段と、
前記入力手段によって前記送信要求の入力があった場合、前記映像データの送信要求信号を前記他の通信端末に送信する送信手段と、
前記送信手段によって前記送信要求信号が送信された結果、前記他の通信端末から前記映像データを受信する第２の受信手段と、
を備えることを特徴とする通信端末。
【請求項５】
相互に通信可能な複数の通信端末からなる通信ネットワーク内の通信端末であって、
前記通信端末以外の他の通信端末により撮像された映像データの撮像時間情報であって、かつ前記他の通信端末より前記通信ネットワーク内の不特定多数の通信端末に配信された前記撮像時間情報を受信する第１の受信手段と、
前記第１の受信手段によって受信された撮像時間情報を出力する出力手段と、
前記出力手段によって前記撮像時間情報が出力された場合、前記映像データの送信要求の入力を受け付ける入力手段と、
前記入力手段によって前記送信要求の入力があった場合、前記映像データの送信要求信号を前記他の通信端末に送信する送信手段と、
前記送信手段によって前記送信要求信号が送信された結果、前記他の通信端末から前記映像データを受信する第２の受信手段と、
を備えることを特徴とする通信端末。
【請求項６】
相互に通信可能な複数の通信端末からなる通信ネットワーク内の通信端末であって、
前記通信端末以外の他の通信端末により撮像された映像データの当該撮像中における前記他の通信端末の速度情報であって、かつ前記他の通信端末より前記通信ネットワーク内の不特定多数の通信端末に配信された前記速度情報を受信する第１の受信手段と、
前記第１の受信手段によって受信された速度情報を出力する出力手段と、
前記出力手段によって前記速度情報が出力された場合、当該速度情報に関連付けられている映像データの送信要求の入力を受け付ける入力手段と、
前記入力手段によって前記送信要求の入力があった場合、前記映像データの送信要求信号を前記他の通信端末に送信する送信手段と、
前記送信手段によって前記送信要求信号が送信された結果、前記他の通信端末から前記映像データを受信する第２の受信手段と、
を備えることを特徴とする通信端末。
【請求項７】
相互に通信可能な複数の通信端末からなる通信ネットワーク内の通信端末を用いるデータ送信方法であって、
映像データの撮像入力を受け付ける入力工程と、
前記入力工程によって撮像入力された場合、前記映像データを、当該映像データの撮像中における前記通信端末の地点情報とともに取得する取得工程と、
前記取得工程によって取得された地点情報を、前記通信ネットワーク内の不特定多数の他の通信端末に配信する配信工程と、
前記配信工程によって前記地点情報が配信された結果、前記映像データの送信要求信号を、前記不特定多数の他の通信端末のうち少なくとも一つの他の通信端末から受信する受信工程と、
前記受信工程によって送信要求信号が受信された場合、前記送信要求信号を送信した前記他の通信端末に前記映像データを送信する送信工程と、
を含むことを特徴とするデータ送信方法。
【請求項８】
相互に通信可能な複数の通信端末からなる通信ネットワーク内の通信端末を用いるデータ受信方法であって、
前記通信端末以外の他の通信端末により撮像された映像データの撮像地点情報であって、かつ前記他の通信端末より前記通信ネットワーク内の不特定多数の通信端末に配信された前記撮像地点情報を受信する第１の受信工程と、
前記第１の受信工程によって受信された撮像地点情報を出力する出力工程と、
前記出力工程によって前記撮像地点情報が出力された場合、前記映像データの送信要求の入力を受け付ける入力工程と、
前記入力工程によって前記送信要求の入力があった場合、前記映像データの送信要求信号を前記他の通信端末に送信する送信工程と、
前記送信工程によって前記送信要求信号が送信された結果、前記他の通信端末から前記映像データを受信する第２の受信工程と、
を含むことを特徴とするデータ受信方法。
【請求項９】
請求項７に記載のデータ送信方法をコンピュータに実行させることを特徴とするデータ送信プログラム。
【請求項１０】
請求項８に記載のデータ受信方法をコンピュータに実行させることを特徴とするデータ受信プログラム。
【請求項１１】
請求項９に記載のデータ送信プログラムを記録したコンピュータに読み取り可能な記録媒体。
【請求項１２】
請求項１０に記載のデータ受信プログラムを記録したコンピュータに読み取り可能な記録媒体。